(57)【要約】      （修正有）【課題】通信品質を保ちながら短時間で無線接続できる技術を提供する。【解決手段】無線通信装置１は、無線通信で用いられる複数のチャンネルのそれぞれについて通信品質を測定する測定部と、前記測定した通信品質を通信品質の履歴として記憶する履歴記憶部と、前記通信品質の履歴に基づいて前記複数のチャンネルのいずれかを選択するチャンネル選択部として機能する制御部１２を備える。さらに、前記選択されたチャンネルを用いて無線通信する無線ＬＡＮ通信部１１を備える。【選択図】図２
2017130777.tif 000002
【特許請求の範囲】
【請求項１】
無線通信で用いられる複数のチャンネルのそれぞれについて通信品質を測定する測定部と、
前記測定した通信品質を通信品質の履歴として記憶する履歴記憶部と、
前記通信品質の履歴に基づいて前記複数のチャンネルのいずれかを選択するチャンネル選択部と、
前記選択されたチャンネルを用いて無線通信する無線通信部と、
を備える無線通信装置。
【請求項２】
前記無線通信部が受信する印刷データに基づいて印刷する印刷部をさらに備える、
請求項１に記載の無線通信装置。
【請求項３】
前記測定部は、前記無線通信部が前記印刷データを受信していない期間中に前記通信品質を測定する、
請求項２に記載の無線通信装置。
【請求項４】
前記測定部は、前記無線通信部が前記印刷データを受信し終えると、前記通信品質の測定を開始する、
請求項２または３に記載の無線通信装置。
【請求項５】
前記測定部は、前記無線通信部が受信した前記印刷データに基づいて前記印刷部が印刷し終えると、前記通信品質の測定を開始する、
請求項２または３に記載の無線通信装置。
【請求項６】
前記測定部は、前記無線通信部が前記印刷データを受信している期間中に前記通信品質を測定する、
請求項２から５のいずれか一項に記載の無線通信装置。
【請求項７】
無線通信で用いられる複数のチャンネルのそれぞれについて通信品質を測定し、
前記通信品質の履歴を記憶し、
前記通信品質の履歴に基づいて前記複数のチャンネルのいずれかを選択し、
前記選択されたチャンネルを用いて無線通信する、
ことを含む無線通信方法。
【発明の詳細な説明】
【技術分野】
【０００１】
本発明は無線通信装置および無線通信方法に関する。
【背景技術】
【０００２】
無線ＬＡＮ通信規格（ＩＥＥＥ８０２．１１）においては、アクセスポイントが中継局となって通信端末同士を無線接続するインフラストラクチャモードと、いずれかの通信端末がアクセスポイントとして機能することにより外部のアクセスポイントを介さずに通信端末同士が直接無線接続するWi-Fi DirectモードまたはWi-Fi Directの自律Group  Ownerモード（以下、「ダイレクト接続モード」ともいう）がある。インフラストラクチャモードでの無線通信では、アクセスポイントが使用する通信チャンネルを用いて無線通信が行われるため、通信端末側でチャンネルを選択する余地はない。ダイレクト接続モードでは、アクセスポイントとして機能する親機がチャンネルを選択し、親機が選択したチャンネルを用いて無線通信が行われる。従来、ダイレクト接続モードで無線接続する前に各チャンネルの通信品質を測定したり推定したりすることにより、良好な通信品質で無線通信できるチャンネルを選択する技術が知られている（例えば、特許文献１−３参照）。
【先行技術文献】
【特許文献】
【０００３】
【特許文献１】特開２０１５−１６５６３０号公報
【特許文献２】特開２００６−２１１２４２号公報
【特許文献３】特表２０１５−５１０３４２号公報
【発明の概要】
【発明が解決しようとする課題】
【０００４】
しかしながら、各チャンネルの通信品質を測定した後にダイレクト接続モードで無線接続する場合には、通信品質の測定に時間を要するため、無線通信の開始が遅くなってしまうという問題があった。
【０００５】
本発明は、このような問題を解決するために創作されたものであって、通信品質を保ちながら短時間で無線接続できる技術の提供を目的の一つとする。
【課題を解決するための手段】
【０００６】
（１）上記目的を達成するための無線通信装置は、無線通信で用いられる複数のチャンネルのそれぞれについて通信品質を測定する測定部と、前記測定した通信品質を通信品質の履歴として記憶する履歴記憶部と、前記通信品質の履歴に基づいて前記複数のチャンネルのいずれかを選択するチャンネル選択部と、前記選択されたチャンネルを用いて無線通信する無線通信部と、を備える。
本発明によると、通信品質の履歴に基づいて無線通信に用いるチャンネルを選択するため、接続前に各チャンネルの通信品質を測定しなくても、通信品質が良好なチャンネルを選択できる。すなわち本発明によると、設置型の無線通信装置においては、通信品質を保ちながら短時間で無線接続することができる。
【０００７】
（２）上記目的を達成するための無線通信装置において、前記無線通信部が受信する印刷データに基づいて印刷する印刷部をさらに備えてもよい。
この構成を採用すると、短時間で無線接続して印刷を実行することができる。
【０００８】
（３）上記目的を達成するための無線通信装置において、前記測定部は、前記無線通信部が前記印刷データを受信していない期間中に前記通信品質を測定してもよい。
この構成を採用すると、印刷データの転送時間を延長せずに通信品質を保つことができる。
【０００９】
（４、５）上記目的を達成するための無線通信装置において、前記測定部は、前記無線通信部が前記印刷データを受信し終えると、前記通信品質の測定を開始してもよいし、前記無線通信部が受信した前記印刷データに基づいて前記印刷部が印刷し終えると、前記通信品質の測定を開始してもよい。
これらの構成を採用すると、印刷データの転送時間を延長せずに通信品質を保つことができるとともに、通信相手となる端末が無線通信エリア内に存在する間に通信品質を測定できる確率を高めることができる。
【００１０】
（６）上記目的を達成するための無線通信装置において、前記測定部は、前記無線通信部が前記印刷データを受信している期間中に前記通信品質を測定してもよい。
この構成を採用すると、通信相手となる端末が無線通信エリア内に存在する間に確実に通信品質を測定できる。
【００１１】
なお、請求項に記載された各手段の機能は、構成自体で機能が特定されるハードウェア資源、プログラムにより機能が特定されるハードウェア資源、又はそれらの組み合わせにより実現される。また、これら各手段の機能は、各々が物理的に互いに独立したハードウェア資源で実現されるものに限定されない。さらに、本発明は、無線通信プログラムまたはその記録媒体としても成立する。むろん、その記録媒体は、磁気記録媒体であってもよいし光磁気記録媒体であってもよいし、今後開発されるいかなる記録媒体であってもよい。
【図面の簡単な説明】
【００１２】
【図１】本発明の実施例にかかる無線通信システムを示すネットワーク構成図である。
【図２】本発明の実施例にかかるプリンターの構成を示すブロック図である。
【図３】本発明の実施例にかかるスマートフォンの構成を示すブロック図である。
【図４】本発明の実施例にかかる通信品質履歴の一例を示すデータ構造図である。
【図５】本発明の実施例にかかる無線接続処理のフローチャートである。
【図６】本発明の実施例にかかる無線接続処理のシーケンスチャートである。
【発明を実施するための形態】
【００１３】
以下、本発明の実施の形態を添付図面を参照しながら説明する。尚、各図において対応する構成要素には同一の符号が付され、重複する説明は省略される。
【００１４】
１．無線通信システムの構成
図１に、無線通信装置の一実施例としてのプリンター１とアクセスポイント２とスマートフォン３とを含む無線通信システムを示す。アクセスポイント２は、無線ＬＡＮプロトコル（ＩＥＥＥ８０２．１１）でプリンター１、スマートフォン３等の外部通信端末を相互に無線接続する中継局である。本実施例においては、プリンター１にアクセスポイント２ａとアクセスポイント２ｂの接続設定がされており、スマートフォン３ａとスマートフォン３ｂがアクセスポイント２を介さずにプリンター１と接続可能な無線通信システムを例にして説明する。ただし、プリンター１に接続されるアクセスポイントの数も、アクセスポイントを介さずにプリンター１に接続される通信端末の数も説明を具体化するための例示に過ぎず、それぞれ１であっても３以上であっても良い。
【００１５】
図２に示すように、無線通信装置としてのプリンター１は、タッチパネルディスプレイ１３、コンピューターで構成された制御部１２、無線ＬＡＮプロトコルで外部通信端末と通信するための無線ＬＡＮ通信部１１、印刷媒体に印刷を施す印刷機構１４を備えている。制御部１２は、主記憶装置であるＲＡＭ、不揮発性の外部記憶装置であるフラッシュメモリ、プロセッサおよび入出力機構を備え、フラッシュメモリに記憶された無線通信プログラムをＲＡＭに読み込んでプロセッサで実行することにより、測定部、履歴記憶部およびチャンネル選択部として機能する。無線通信部としての無線ＬＡＮ通信部１１は、無線ＬＡＮアダプタであって、無線通信プログラムによって制御され、アクセスポイント２を介して外部通信端末と無線接続する機能（インフラストラクチャモード）と、アクセスポイント２を介さずに外部通信端末と無線接続する機能（ダイレクト接続モード）とを有する。なお、ダイレクト接続モードとしては、プリンター１自身がアクセスポイントとなって他の通信端末とピアツーピアの無線接続を行うWi-Fi Directの自律Group  Ownerモード等があげられる。無線ＬＡＮ通信部１１は、ＳＳＩＤとパスワードが割り振られており、ダイレクト接続モードでアクセスポイント２を介さずに外部通信端末と無線接続するとき、外部通信端末にとってのアクセスポイントとして機能する。無線ＬＡＮ通信部１１はＣＨ１〜ＣＨ１３までの１３チャンネルを用いて無線通信を行う。チャンネルは、互いに異なる帯域を示すが、隣接するチャンネルの帯域は重複している帯域を有する。したがって、複数の通信端末と接続する場合には、互いに離れたチャンネルが用いられる。アクセスポイントとして機能するとき、無線ＬＡＮ通信部１１は、外部通信端末との無線通信に用いるチャンネルを、各チャンネルの通信品質に応じて選択する。制御部１２は、図４に示すように記録日とパケットロス率をフィールドとして有するチャンネル毎の通信品質記録をレコードとする通信履歴として各チャンネルの通信品質をフラッシュメモリに記憶する。
【００１６】
図３に示すように、スマートフォン３は、無線ＬＡＮプロトコルで外部通信端末と通信するための無線ＬＡＮ通信部３１、コンピューターで構成された制御部３２、並びに、タッチパネルディスプレイ３３を備えている。制御部３２は、主記憶装置であるＲＡＭ、外部記憶装置であるフラッシュメモリ、プロセッサおよび入出力機構を備え、フラッシュメモリに記憶された無線通信プログラムをＲＡＭにロードしてプロセッサで実行することにより無線ＬＡＮ通信部３１を制御する。無線ＬＡＮ通信部３１は、無線通信プログラムによって制御され、アクセスポイント２を介して外部通信端末と無線接続する機能を有する。なお、無線ＬＡＮ通信部３１がアクセスポイント２を介さずに外部通信端末と無線接続する機能を有するか否かに関わらず、プリンター１がアクセスポイントとして機能する場合には、スマートフォン３はアクセスポイント２を介さずにプリンター１と直接無線通信することができる。アクセスポイントとして機能するプリンター１と無線接続するとき、無線ＬＡＮ通信部３１は、プリンター１の無線ＬＡＮ通信部１１が選択しているチャンネルを用いてプリンター２１と接続する。すなわち、ダイレクト接続モードでのプリンター１とスマートフォン３との無線通信に用いられるチャンネルはプリンター１によって決定される。
【００１７】
２．無線通信システムの作動
次に図５および図６を参照しながら、上述したプリンター１による無線接続処理の実施例について説明する。図５に示す無線接続処理のシーケンスは、ユーザーがダイレクト接続モードによる無線通信機能の起動をプリンター１に対して指示することによって起動し、無線通信プログラムを実行する制御部１２によって実行される。ダイレクト接続モードによる無線通信機能の起動の指示は、タッチパネル１３で受け付けても良いし、タッチパネルディスプレイ１３とは別のスイッチで受け付けても良いし、ＮＦＣ等の近距離無線通信によってスマートフォン３からプリンター１が指示を取得しても良い。
【００１８】
はじめに制御部１２は、所定期間、通信品質記録が更新されていない無線通信チャンネルが存在するか否かを判定する（Ｓ１０１）。このとき制御部１２は、図４に示す通信品質履歴を参照し、各通信品質記録の記録日が所定日以後であるか否かを判定し、所定日以後でなければ、そのチャンネルについて通信品質記録が更新されていないものとみなす。例えば６ヶ月を所定期間とする場合には、６ヶ月前の日付よりも前の日付が記録日となっているチャンネルが更新されていないとみなされる。ここでの所定期間は、６ヶ月よりも短くても長くてもよい。この所定期間が短いほど、ダイレクト接続モードの起動直後に通信品質が最善ではないチャンネルが選択される確率は高まるが、プリンター１の無線通信環境が変化した場合には、変化後の最善のチャンネルが選択されるまでに要する期間が短くなる可能性が高まる。
【００１９】
所定期間、通信品質記録が更新されていないチャンネルが存在する場合、制御部１２は、更新されていないチャンネルの通信品質記録をリセットする（Ｓ１０２）。例えばＣＨ３が更新されていない場合、制御部１２は、図４に示すようにＣＨ３の記録日とパケットロス率を消去することによってＣＨ３の通信品質記録をリセットする。
【００２０】
次に制御部１２は、通信品質記録が無いチャンネルが存在するか否かを判定する（Ｓ１０３）。具体的には、制御部１２は、パケットロス率が記録されていない通信品質記録のレコードが存在するか否かを判定すればよく、図４に示すように通信品質履歴が記憶されている場合には、通信品質記録が無いＣＨ３が存在すると判定する。
【００２１】
通信品質記録が無いチャンネルが存在しない場合、制御部１２は、通信品質履歴を参照し、パケットロス率が最も低いチャンネルをダイレクト接続モードでの無線通信に用いるチャンネルとして選択する（Ｓ１０４）。すなわち所定期間内の過去において最も通信品質が良好なチャンネルを選択する。例えば、図４に示すように通信品質履歴が記憶されている場合には、パケットロス率が最も低いＣＨ１が選択される。
【００２２】
通信品質記録が無いチャンネルが存在する場合、制御部１２は、通信品質記録がないチャンネルをダイレクト接続モードでの無線通信に用いるチャンネルとして選択する（Ｓ１０５）。例えば図４に示すように通信品質履歴が記憶されている場合にはＣＨ３が選択される。
【００２３】
ここまで説明した処理は、ダイレクト接続モードでの無線通信機能が起動した直後に実行される初期チャンネルの選択処理である。プリンター１では、ダイレクト接続モードでの無線通信機能が起動した後に、無線通信を介した印刷要求に応じて少なくとも１回の印刷が実行されるまでは、このようにして選択された初期チャンネルがダイレクト接続モードでの無線通信に用いられる。
【００２４】
初期チャンネルの選択処理が終了すると、制御部１２は、無線接続の要求を受信するか（Ｓ１１１）、無線通信を用いた印刷が開始されるか（Ｓ１２１）、無線通信を用いた印刷終了から所定時間が経過する（Ｓ１３１）まで待機する状態となる。
【００２５】
スマートフォン３等の外部通信端末から無線接続の要求を受信すると、制御部１２は、要求に応じて無線接続する（Ｓ１１２）。無線接続の要求には、プリンター１にダイレクト接続モードで接続するためのＳＳＩＤとパスワードが必要である。まず制御部１２は制御部１２が記憶しているアクセスポイントとしてのプリンター１（無線ＬＡＮ通信部１１）のＳＳＩＤに対する無線接続の要求を取得する。無線接続の要求を取得すると、制御部１２は、制御部１２が記憶しているアクセスポイントとしてのプリンター１に接続するためのパスワードと、無線接続の要求として外部通信端末から取得したパスワードとを照合する。２つのパスワードが一致すると、制御部１２は、選択しているチャンネルを用いて外部通信端末とダイレクト接続モードで無線接続する。
【００２６】
無線通信を用いた印刷が開始されると、制御部１２は、印刷期間中に無線通信の通信品質を測定して記録する（Ｓ１２２、Ｓ１２３）。印刷期間中は、印刷要求を送信した外部通信端末が無線ＬＡＮ通信部１１の通信範囲内にほぼ確実に存在するため、ほぼ確実に通信品質を測定することができる。印刷データの受信に関してパケットロス率を求める場合には、ｐｉｎｇのパケットに関してパケットロス率を求める場合に比べて測定対象となるパケット数がはるかに大きくなるため測定精度が上がり、また、ｐｉｎｇのパケット送信によって印刷データの受信を妨げることもない。印刷データの受信に関してパケットロス率を求めるには、例えば、無線ＬＡＮ通信部１１が記憶しているパケットの送受信情報を参照して次のように導出すればよい。すなわち、印刷データの受信開始時に無線ＬＡＮ通信部１１が記憶しているパケットの総受信数をＰ１、印刷データの受信終了時に無線ＬＡＮ通信部１１が記憶しているパケットの総受信数をＰ２、印刷データの受信開始時に無線ＬＡＮ通信部１１が記憶しているパケットの再受信数をＥ１、印刷データの受信終了時に無線ＬＡＮ通信部１１が記憶しているパケットの再受信数をＥ２として、（Ｅ２−Ｅ１）／（Ｐ２−Ｐ１−Ｅ２＋Ｅ１）をパケットロス率とすればよい。パケットロス率の分母は、印刷データの受信中に無線ＬＡＮ通信部１１が受信したパケットの総数から再送されたパケット数を引いた値である。
【００２７】
無線通信を用いた印刷終了から所定時間が経過すると、制御部１２は、チャンネルを順次選択しながら（Ｓ１３２、Ｓ１３５）、印刷要求を送信した外部通信端末に対してｐｉｎｇのパケットを送信し（Ｓ１３３）、通信品質を測定して記録する（Ｓ１３４）。印刷終了から通信品質の測定を開始するまでの待機時間が短いほど、印刷要求を送信した外部通信端末がプリンター１の無線ＬＡＮ通信部１１の通信範囲に存在する可能性は高くなる。一方、印刷終了から通信品質の測定を開始するまでの待機時間が短いほど、通信品質の測定中に新たな印刷要求を受信して印刷開始が遅延する可能性も高くなる。そこで本実施例では、プリンター１が省電力モードに移行するまで待機して通信品質の測定を開始する。すなわち本実施例において、印刷終了から測定開始までの所定時間は、印刷終了から省電力モードに移行するまでの時間である。なお、印刷終了からの経過時間を測定する始点は、印刷データの受信完了時でもよいし、実際の印刷の完了時でも良い。また、制御部１２がｐｉｎｇのパケットを送信するチャンネルとして順次選択するチャンネルは、印刷データの受信に用いたチャンネル以外の全てのチャンネルである。チャンネルを選択する順序は、通信品質の記録日が古いチャンネルから新しいチャンネルの順でも良いし、チャンネルの番号順でも良い。印刷要求を送信した外部通信端末がプリンター１の無線ＬＡＮ通信部１１の通信範囲に存在する可能性は、印刷終了からの経過時間が長くなるほど低くなる。したがって、通信品質の記録日が古いチャンネルから新しいチャンネルの順にチャンネルを選択しながら各チャンネルの通信品質を測定することにより、最も古い記録日の通信品質記録を更新できる可能性を高めることができる。なお、通信品質の記録が無いチャンネルの通信品質の記録日は最も古い記録日とみなせばよい。
【００２８】
印刷データの受信に用いたチャンネル以外の全てのチャンネルを用いてｐｉｎｇのパケットを送信して通信品質を測定すると、制御部１２は通信品質履歴を参照し、パケットロス率が最も低いチャンネルをダイレクト接続モードでの無線通信に用いるチャンネルとして選択する（Ｓ１３６）。ここで参照される通信品質履歴には、無線通信を用いた印刷の実行にともなって測定された最新の通信品質記録が含まれている。なお、ステップＳ１３２からステップＳ１３５の処理を実行しても、一部または全部のチャンネルについては通信品質を測定して記録できない場合もある。例えば、無線通信の品質を測定している期間中であっても、無線接続された外部通信端末がプリンター１の無線ＬＡＮ通信部１１の通信範囲に存在しなくなると、当該外部通信端末との無線接続が切れる。外部通信端末との無線接続が切れれば、全てのパケットをロスすることになる。そこで外部通信端末との無線接続が途絶えた場合には、通信品質の測定と記録を中止するか、途絶える以前に送受信されたパケットのみについてパケットロス率を算定して記録すればよい。これにより、外部通信端末がプリンター１の無線ＬＡＮ通信部１１の通信範囲に存在する期間中についての適正な通信品質を各チャンネルについて測定して記録することができる。
【００２９】
以上説明したように、過去に測定して記録した各チャンネルの通信品質の履歴に基づいて無線通信チャンネルを選択することにより、プリンター１は、接続前に各無線通信チャンネルの通信品質を測定しなくても、高い確率で最も通信品質が良好なチャンネルを用いてダイレクト接続モードで外部通信端末と無線通信することが可能になる。
【００３０】
３．他の実施形態
尚、本発明の技術的範囲は、上述した実施例に限定されるものではなく、本発明の要旨を逸脱しない範囲内において種々変更を加え得ることは勿論である。
【００３１】
例えば印刷期間中に無線通信の通信品質を測定するために、制御部１２は、印刷要求を送信した外部通信端末に対してｐｉｎｇのパケットを、印刷データの転送チャンネルを使って無線ＬＡＮ通信部１１から送信することによりパケットロス率を測定してもよい。無線ＬＡＮ通信部１１からｐｉｎｇのパケットを送信するタイミングは、印刷データを受信している期間中であればいつでも良い。また無線ＬＡＮ通信部１１からｐｉｎｇのパケットを送信する回数は、パケットロス率として求める測定精度に応じて決めればよい。
【００３２】
また上記実施例においては、印刷中と印刷終了から所定期間が経過した後の両方において無線通信チャンネルの通信品質を測定したが、印刷中のみに無線通信チャンネルの通信品質を測定しても良いし、印刷終了から所定期間が経過した後にのみ無線通信チャンネルの通信品質を測定しても良い。なお、印刷中のみに無線通信チャンネルの通信品質を測定する場合には、印刷データの転送に用いられるチャンネル以外のチャンネルに切り換えてからｐｉｎｇを送信して印刷中に通信品質を測定する必要があるが、印刷中に測定する場合であっても測定のタイミングによっては印刷を遅延させることなく通信品質を測定することができる。また、印刷終了から所定期間が経過した後にのみ無線通信チャンネルの通信品質を測定する場合には、印刷データの転送に用いたチャンネルも測定対象のチャンネルに加える必要がある。
【００３３】
なお、アクセスポイント２の無線通信範囲とプリンター１の無線通信範囲とは異なるが、アクセスポイント２を介して外部通信端末とインフラストラクチャモードで無線接続されたか、アクセスポイント２を介さずに外部通信端末とダイレクト接続モードで無線接続されたかに関わらず、無線接続中に各チャンネルの通信品質を測定してもよい。例えば、アクセスポイント２を介して外部通信端末とプリンター１とがインフラストラクチャモードで無線接続されている期間中に、プリンター１から各無線通信チャンネルを通じてスマートフォン３にｐｉｎｇのパケットを直接送信して通信品質を測定しても良い。また、外部通信端末が無線通信可能な範囲に存在している期間中に無線通信チャンネルの通信品質を測定できればよいため、イメージスキャンといった印刷以外の処理を無線通信チャンネルの通信品質を測定するトリガーとしても良い。
【００３４】
また、例えばパケットロス率の代わりにラウンドトリップタイムまたはラウンドトリップタイムのチャンネル毎の平均値を通信品質として測定して記録しても良い。また印刷期間中に無線通信の通信品質を測定するために、制御部１２は、印刷要求を送信した外部通信端末に対して無線ＬＡＮ通信部１１が送信する再送要求に基づいてパケットロス率を測定してもよい。再送要求は、無線ＬＡＮ通信部１１が印刷データを受信する一連のシーケンスにおいて、不連続なパケット識別子を付されたパケットを連続して受信した場合に無線ＬＡＮ通信部１１が送信するものである。また印刷期間中に無線通信の通信品質を測定するために、制御部１２は、印刷要求を送信した外部通信端末に対してパケットロス率を問い合わせて通信品質を測定しても良い。
【００３５】
また上記実施例では、ダイレクト接続モードの無線通信チャンネルを１つだけ選択する例を説明したが、通信品質の履歴に応じて複数のチャンネルを選択しても良い。具体的には、ダイレクト接続モードの無線通信チャンネルを外部通信端末毎の通信履歴に基づいて外部通信端末毎に１つ選択してもよい。
【００３６】
また上記実施例では、無線通信装置としてプリンターを例示したが、本発明は、アクセスポイントを介さずに外部通信端末と無線接続する機能を有する種々の無線通信装置に適用することができることはいうまでもない。
【符号の説明】
【００３７】
１…プリンター、２…アクセスポイント、３…スマートフォン、１１…無線ＬＡＮ通信部、１２…制御部、１３…タッチパネルディスプレイ、１４…印刷機構、３１…無線ＬＡＮ通信部、３２…制御部、３３…タッチパネルディスプレイ
【図１】
2017130777.tif 000003
【図２】
2017130777.tif 000004
【図３】
2017130777.tif 000005
【図４】
2017130777.tif 000006
【図５】
2017130777.tif 000007
【図６】
2017130777.tif 000008